(57)【要約】【課題】胴部材と底部材とが互いに接合され、上方開口縁と、底面部を有する紙カップにおいて、紙カップとしての圧縮強度の低下を起こさずに、使用後に容易に潰すことにより減容化が可能な形態の紙カップを提供することにある。【解決手段】本発明は、筒状の胴部と、該胴部の上端側を折り曲げたトップカール部と、該胴部の下端を内側に折り返した折り返し部とを有する胴部材と、底面部と、該底面部の外周縁部を折り曲げた屈曲部とを有する底部材とを備えて、胴部と折り返し部との間に屈曲部が挟み込まれて互いに接合された紙カップであって、底面部に引き裂き線を設けたことを特徴とする紙カップであり、その引き裂き線が、半切れ線あるいは罫線で設けられ、そして、底面部の中心を通る直径線上に一本設けられていること、底面部の中心を通る帯を形成するように平行に二本設けられていること、あるいは、底面部の中心で交差して十字を形成するように二本設けられていることを特徴とするものである。【選択図】図１
2004051160.tif 000002
【特許請求の範囲】
【請求項１】
筒状の胴部と、該胴部の上端側を折り曲げたトップカール部と、該胴部の下端を内側に折り返した折り返し部とを有する胴部材と、
底面部と、該底面部の外周縁部を折り曲げた屈曲部とを有する底部材とを備えて、前記胴部と前記折り返し部との間に前記屈曲部が挟み込まれて互いに接合された紙カップであって、
前記底面部に引き裂き線を設けたことを特徴とする紙カップ。
【請求項２】
前記引き裂き線が、半切れ線で設けられていることを特徴とする請求項１に記載の紙カップ。
【請求項３】
前記引き裂き線が、罫線で設けられていることを特徴とする請求項１に記載の紙カップ。
【請求項４】
前記引き裂き線が、前記底面部の中心を通る直径線上に一本設けられていることを特徴とする請求項１乃至３のいずれかに記載の紙カップ。
【請求項５】
前記引き裂き線が、前記底面部の中心を通る帯を形成するように平行に二本設けられていることを特徴とする請求項１乃至３のいずれかに記載の紙カップ。
【請求項６】
前記引き裂き線が、前記底面部の中心で交差して十字を形成するように二本設けられていることを特徴とする請求項１乃至３のいずれかに記載の紙カップ。
【発明の詳細な説明】
【０００１】
【発明の属する技術分野】
本発明は、減容化が可能な紙カップに関するものであり、詳しくは、使用後に容易に潰すことができ容積を少なくした状態で廃棄できる紙カップに関するものである。
【０００２】
【従来の技術】
食品、飲料などの包装分野において、近年、省資源化、ごみの減容積化、リサイクル性などの環境対応の観点から、紙カップが広く使用されている。さらに、食品、飲料などの内容物が充填された製品として販売されるようになっている。
【０００３】
また、近年、環境問題が大きな問題となっており、自然環境を守ろうとする意識が高まっている。特に、廃棄物の処理の問題は大きく、出来るだけ材料を少なく使用する省資源化、そして資源の再使用であるリサイクルなどでの対応が、求められている。このような背景のもとに、包装に使用される容器を廃棄する時には出来るだけ容積を少なくすることも望まれている。
【０００４】
【発明が解決しようとする課題】
しかしながら、紙を使用した紙カップでは、使用した後では、嵩張ってしまうため、潰したり、接合部分を剥がしたりして、解体して容積を減らし廃棄しているが、この作業には手間がかかり、特に、坪量のある強度の高い紙を使用した紙カップにおいては、解体することが難しいという問題がある。
既に、一部のカートンにおいては、使用後のカートンの減容化を目的として、折り畳みを補助する罫線が設けられているものもある。
【０００５】
本発明は、上記の問題点を解決するために見出されたもので、胴部材と底部材とが互いに接合され、上方開口縁と、底面部を有する紙カップにおいて、紙カップとしての圧縮強度の低下を起こさずに、使用後に容易に潰すことにより減容化が可能な形態の紙カップを提供することを目的とするものである。
【０００６】
【課題を解決するための手段】
上記課題を解決するためになされた本発明は、筒状の胴部と、該胴部の上端側を折り曲げたトップカール部と、該胴部の下端を内側に折り返した折り返し部とを有する胴部材と、底面部と、該底面部の外周縁部を折り曲げた屈曲部とを有する底部材とを備えて、前記胴部と前記折り返し部との間に前記屈曲部が挟み込まれて互いに接合された紙カップであって、前記底面部に引き裂き線を設けたことを特徴とする紙カップ。そして、前記引き裂き線が、半切れ線あるいは罫線で設けられていることを特徴とする。また、前記引き裂き線が、前記底面部の中心を通る直径線上に一本設けられていること、前記底面部の中心を通る帯を形成するように平行に二本設けられていること、あるいは、前記底面部の中心で交差して十字を形成するように二本設けられていることを特徴とするものである。
【０００７】
本発明によれば、胴部材と底部材とが互いに接合され、上方開口縁と底面部を有する紙カップにおいて、紙カップとしての強度の低下を起こさずに、底部材の底面部に引き裂き線を設けることにより、使用後に、この引き裂き線を引き裂き容易に胴部材を潰して減容化ができる形態の紙カップを得ることができる。
【０００８】
【発明の実施の形態】
以下、図面に基づいて詳細に説明する。図１は、本発明による紙カップの一実施例を示す斜視図であり、図２は、本発明による紙カップの一実施例を示す部分切り欠け断面図であり、図３は、本発明による紙カップの一実施例のブランクを示す展開図であり、図４は、本発明による紙カップの一実施例の組み立て工程を説明する斜視図であり、そして、図５は、本発明による紙カップの一実施例の減容化を説明する図である。
【０００９】
図１は、本発明による紙カップの実施の形態の一実施例を示す斜視図である。紙カップＡは、図１に示すように、外見は、通常の紙カップと略同様であり、図２に示すように、胴部材１と底部材２とからなり、胴部材１は主に胴部１１を形成し、上端を外側にカールして円形の上方開口縁であるトップカール部１２とし、下端を内側に折り返して折り返し部１３としている。一方、底部材２は円形の底面部２１を形成し、円形の外周縁部を下方へ略直角に屈曲して屈曲部２２としている。胴部材１と底部材２の接合は、底部材２の屈曲部２２を、胴部材１の折り返し部１３と、胴部１１の下端部とで挟んで加熱圧着している。
【００１０】
本発明の紙カップＡでは、底部材２の底面部２１の部分に引き裂き線Ｌを設けていることが特長である。
【００１１】
この引き裂き線Ｌは、底部材１の底面部２１の部分に直線状に、罫線あるいは半切れ線により設けられている。その位置は、底面部２１が円形の場合、底面部２１の中心Ｏを通る直径線上とする。
【００１２】
また、引き裂き線Ｌを引き裂きやすいようにするためには、半切れ形状とすることが好ましいが、半切れの場合、内容物が漏れ出さないように、少なくとも最内層を残すようにする。
【００１３】
図３は本発明による紙カップのブランク展開図である。紙カップＡは、図３に示すように、胴部材ブランク１Ａと、底部材ブランク２Ａとから形成される。一般的な紙カップの底部材ブランク２Ａでは引き裂き線Ｌが設けられていないのに対して、本発明の紙カップＡでは、底部材ブランク２Ａに引き裂き線Ｌが設けられている。円形の底部材ブランク２Ａの底面部２１において、底面部２１の中心Ｏを通って直径線上に引き裂き線Ｌが一本設けられている。
【００１４】
また、この引き裂き線Ｌは、本実施例の一本の線とは異なり、図４−ａに示すように、底面部２１の中心Ｏを通る帯を形成するように平行な二本の引き裂き線Ｌ１、Ｌ２としてもよい。また、この帯状の引き裂き線Ｌ１、Ｌ２を引き裂きやすくするために、指で摘む取っ掛かりとなるように、図４−ｂに示すように、引き裂き線Ｌ１、Ｌ２を結ぶ引き裂き線Ｌ３を設けることもできる。さらに、図４−ｃに示すように、底面部２１の中心Ｏで引き裂き線Ｌ１、Ｌ２が交差して十字を形成する形状に設けてもよい。
【００１５】
この引き裂き線Ｌは、３本以上設けてもよい。その場合、平行状でも、交差状でもよく、底面部２１の中心Ｏの近くを通る位置に設けることが好ましい。
【００１６】
なお、本実施例では、円形の上方開口縁と、円形の底面部を有する紙カップＡであるが、略四角形の開口縁と、略四角形の底面部を有する紙カップの場合、引き裂き線Ｌは、略四角形の底面部の対角線上に設けることが好ましい。対角線上ではなく、対向する辺の間に設けた場合には、紙カップが潰しにくくなる。
【００１７】
つぎに、本発明の紙カップＡに使用する材料の構成は、紙を主強度材とし、最内層に熱可塑性樹脂を有することを基本とし、内容物を保護する機能を有する。また、最外層も熱可塑性樹脂であることが好ましい。具体的な材料構成の例としては、外側から紙／ポリエチレン、紙／ポリプロピレン、紙／ポリエチレンテレフタレート、ポリエチレン／紙／ポリエチレン、ポリプロピレン／紙／ポリプロピレン、ポリエチレン／紙／ポリプロピレン、ポリエチレン／紙／ポリエチレンテレフタレート、紙／ポリエチレン／アルミニウム／ポリエチレン、ポリエチレン／紙／ポリエチレン／アルミニウム／ポリエチレン、ポリエチレン／アルミニウム／紙／ポリエチレン、紙／ポリエチレン／シリカ蒸着ポリエチレンテレフタレートフィルム／ポリエチレン、ポリエチレン／紙／ポリエチレン／シリカ蒸着ポリエチレンテレフタレートフィルム／ポリエチレン、紙／ポリエチレン／アルミ蒸着ポリエチレンテレフタレートフィルム／ポリエチレン、ポリエチレン／紙／ポリエチレン／アルミ蒸着ポリエチレンテレフタレートフィルム／ポリエチレン、紙／ポリエチレン／ナイロン／ポリエチレン、ポリエチレン／紙／ポリエチレン／ナイロン／ポリエチレン、紙／ポリエチレン／シリカ蒸着ナイロンフィルム／ポリエチレン、ポリエチレン／紙／ポリエチレン／シリカ蒸着ナイロンフィルム／ポリエチレンなどの積層体があげられる。
【００１８】
主強度材となる紙としては、紙カップ成形適性の良いカップ原紙を使用することが好ましい。坪量は、とくに限定されないが、紙カップ成形適性上、１５０〜３５０ｇ／ｍ２の範囲が好ましい。
【００１９】
図５は、本発明の紙カップＡを成形する工程を説明する図である。この成形する工程は、一般的な紙カップを成形する工程と同様であり、まず、紙を主体とした積層体を打ち抜いて、図３に示すような胴部材ブランク１Ａと底部材ブランク２Ａとを製造する。あらかじめ、底部ブランク２Ａには、引き裂き線Ｌを打ち抜き工程で設けておく。
【００２０】
つぎに、この胴部材ブランク１Ａをマンドレルに巻き付け、図４−ａに示すように、扇形の胴部材ブランク１Ａの両側縁部をヒートシールなどで貼り合せる、いわゆる胴貼りをして逆円錐形の筒状の胴部材１に成形する。
【００２１】
つづいて、紙カップ成形機で、図５−ｂに示すように、胴部材１の下方から底部材ブランク２Ａを嵌め込み、接着部分を熱風で加熱し、胴部材１の下端を内側に折り返して折り返し部１３とし、図５−ｃに示すように、底部材ブランク２Ａの外周縁部を折り曲げた屈曲部を挟み込んで胴部材１と底部材２とを接合する。
【００２２】
さらに、図５−ｄに示すように、胴部材１の上端を外側にカールしトップカール部１２を形成して紙カップＡを作製する。
【００２３】
図６は、本発明による紙カップＡを潰して減容化する方法を説明する図である。本発明による紙カップＡは、使用後、まず、図５−ａに示すように、底部材１の底面部２１の引き裂き線Ｌの一部を指で突き刺す。そして、その部分を起点として引き裂いていく。ついで、図５−ｂに示すように、胴部１１を引き裂き線Ｌの方向で内方に向かって潰す。底面部２１が引き裂き線Ｌによって引き裂かれているので、図５−ｃに示すように、容易に胴部１１を潰すことができ、紙カップＡを減容化することができる。
【００２４】
【発明の効果】
本発明は、胴部材と底部材とが互いに接合され、上方開口縁と底面部を有する紙カップであって、紙カップとしての強度の低下を起こさずに、底部材の底面部に引き裂き線を設け、使用後に、まず、底面部の引き裂き線を引き裂くことにより、容易に胴部材を潰して減容化ができる形態であり、胴部を偏平状に潰し、紙カップ全体を折り畳むことができるので、紙カップの圧縮強度の低下を起こさない形態で減容化による廃棄性に優れた紙カップである。この紙カップの減容化によって、廃棄する時に、容積を多く取らずに、保管、輸送などの処理を効率的に行うことができる。
【図面の簡単な説明】
【図１】本発明による紙カップの一実施例を示す斜視図である。
【図２】本発明による紙カップの一実施例を示す部分切り欠け断面図である。
【図３】本発明による紙カップの一実施例の胴部材ブランクおよび底部材ブランクを示す展開図である。
【図４】本発明による紙カップの別の実施例の底部材ブランクを示す展開図である。
【図５】本発明による紙カップの一実施例の組み立て工程を説明する斜視図である。
【図６】本発明による紙カップの一実施例を潰して減容化する方法を説明する図である。
【符号の説明】
Ａ　　本発明の紙カップ
１Ａ　胴部材ブランク
２Ａ　底部材ブランク
１　　胴部材
２　　底部材
１１　　胴部
１２　　トップカール部
１３　　折り返し部
２１　　底面部
２２　　屈曲部
Ｌ　　引き裂き線
Ｌ１　引き裂き線
Ｌ２　引き裂き線
Ｌ３　引き裂き線
Ｏ　　中心（底面部）
【図１】
2004051160.tif 000003
【図２】
2004051160.tif 000004
【図３】
2004051160.tif 000005
【図４】
2004051160.tif 000006
【図５】
2004051160.tif 000007
【図６】
2004051160.tif 000008